(57)【特許請求の範囲】
【請求項１】
シートが載置される載置台ガラスと、前記載置台ガラスに沿ってシートを搬送するシート搬送部を有し、前記載置台ガラスに載置されたシートを押える開閉可能なシート押圧部と、前記載置台ガラスに載置されたシートの画像及び前記シート搬送部により前記載置台ガラスに沿って搬送されるシートの画像を読み取る画像読取手段と、を備え、前記載置台ガラスに沿って搬送されるシートの画像を読み取る際には前記画像読取手段を前記載置台ガラスの一端部に移動させる画像読取装置において、
前記載置台ガラスの一端側に設けられ、前記載置台ガラスにシートを載置する際の基準となる突き当て部と、を備え、
前記シート押圧部は、
前記載置台ガラスの一端部に対応する位置に設けられ、前記シート搬送部により搬送されるシートを、搬送されるシートの画像を読み取る位置にある前記画像読取手段の方向に押し付ける押付け部材と、
前記シート押圧部の底面の、前記押付け部材に対応する位置に設けられ、前記シート押圧部が閉じられた際、前記載置台ガラスに当接し、前記シート搬送部により搬送されるシートと前記載置台ガラスとの間に位置する透明なフィルム部材と、
前記押付け部材よりもシート搬送方向下流側に設けられ、前記画像読取手段により画像が読み取られた後、前記フィルム部材に沿って搬送されるシートを案内するガイド部材と、
前記シート押圧部の底面に設けられ、前記載置台ガラスに載置されたシートの動きを前記フィルム部材と共に規制するシート押え部材と、を備え、
前記フィルム部材の、搬送されるシートの画像を読み取る位置にある前記画像読取手段と対向する部分以外の部分と、前記押付け部材のシートを押し付ける部分とを白色とし、かつ前記フィルム部材は、一端が前記シート押圧部の前記突き当て部の近傍に対応する位置に、他端が前記ガイド部材のガイド面に設けられ、前記シート押え部材の一端は前記ガイド部材の底面を通って前記フィルム部材の他端部に接することを特徴とする画像読取装置。
【請求項２】
前記フィルム部材の前記載置台ガラスと対向する面側に白印刷又は白塗装を施したことを特徴とする請求項１記載の画像読取装置。
【請求項３】
前記押付け部材のシート搬送方向と直交する幅方向の長さは、搬送されるシートの幅方向の長さよりも長いことを特徴とする請求項１又は２記載の画像読取装置。
【請求項４】
請求項１ないし３のいずれか１項に記載の画像読取装置と、前記画像読取装置により読み取った画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に読取画像の汚れを防ぐための構成に関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。
【０００３】
この画像読取装置の読み取り方法として、シートである原稿をプラテンガラス上に載置した後、圧板により原稿をプラテンガラスに密着させ、この状態で画像読取部を走査させることにより画像を読み取る方法（以下、固定読みという）がある。
【０００４】
また、プラテンガラスの所定の画像読取位置の下方に画像読取部を固定し、この画像読取位置上を、原稿を一定の速度で搬送することにより、画像を読み取る方法（以下、流し読みという）がある。なお、このような流し読みの際、画像読取位置を通過した原稿は、画像読取位置の下流側に設けられたガイド部材に受け渡された後、排紙ローラ対によって装置外へ排出される。
【０００５】
ところで、このような従来の画像読取装置においては、搬送原稿を流し読みにて読み取る搬送原稿読取部と、プラテンガラスに載置された原稿を固定読みにて読み取る静止原稿読取部とを別々に設けているものがある（特許文献１参照）。
【０００６】
図５は、このような従来の画像読取装置の斜視図である。図５において、１２０は搬送原稿を流し読みにて読み取る搬送原稿読取部、１２２は搬送原稿読取部１２０とは別に設けられ、プラテンガラス１２１に載置された原稿を固定読みにて読み取る静止原稿読取部である。なお、図６において、１２５は、プラテンガラス１２１に載置された原稿をプラテンガラス１２１に押し付けるための圧板ユニット、１２４は圧板ユニット１２５に設けられ、流し読みを行う際、原稿を不図示の画像読取部側に押し付けるための押付け部材である。
【０００７】
そして、静止原稿読取部１２２にて原稿画像を読み取る場合は、プラテンガラス１２１の一端に原稿を合わせて原稿をプラテンガラス上に載置した後、圧板ユニット１２５を閉じ、この後、不図示の画像読取部を走査させるようにする。また、流し読みにより原稿画像を読み取る場合は、原稿の搬送を開始する前に、予め搬送原稿読取部１２０の下方に画像読取部を移動させて固定した後、この画像読取位置上を、原稿を一定の速度で搬送するようにする。
【０００８】
【特許文献１】特開２００３−４６７２２号公報
【発明の開示】
【発明が解決しようとする課題】
【０００９】
ところで、このような従来の画像読取装置においては、静止原稿読取部１２２と、搬送原稿読取部１２０を別々に設けた場合、画像読取装置の幅が広くなる。ここで、幅を狭くするためには、例えば、図６に示すようにプラテンガラス１２１の一端部を搬送原稿読取部１２０とすれば良い。
【００１０】
しかし、この場合、固定読みのため、プラテンガラス１２１の一端に合わせて原稿をセットし、この後、圧板ユニット１２５を閉じると、流し読みの際、原稿を画像読取部側に押し付ける押付け部材１２４等が原稿の上方に位置するようになる。
【００１１】
そして、この状態で原稿画像を読み取ると、静止原稿が薄い場合や、原稿の幅よりも広い範囲を読み取った場合、読み取った画像に押付け部材１２４等が陰となって読み込まれ、読取画像が汚くなるという問題が生まれる。
【００１２】
そこで本発明は、このような現状に鑑みてなされたものであり、小型化ができると共に固定読みの際の読取画像の汚れを防ぐことのできる画像読取装置及び画像形成装置を提供することを目的とするものである。
【課題を解決するための手段】
【００１３】
本発明は、シートが載置される載置台ガラスと、前記載置台ガラスに沿ってシートを搬送するシート搬送部を有し、前記載置台ガラスに載置されたシートを押える開閉可能なシート押圧部と、前記載置台ガラスに載置されたシートの画像及び前記シート搬送部により前記載置台ガラスに沿って搬送されるシートの画像を読み取る画像読取手段と、を備え、前記載置台ガラスに沿って搬送されるシートの画像を読み取る際には前記画像読取手段を前記載置台ガラスの一端部に移動させる画像読取装置において、前記載置台ガラスの一端側に設けられ、前記載置台ガラスにシートを載置する際の基準となる突き当て部と、を備え、前記シート押圧部は、前記載置台ガラスの一端部に対応する位置に設けられ、前記シート搬送部により搬送されるシートを、搬送されるシートの画像を読み取る位置にある前記画像読取手段の方向に押し付ける押付け部材と、前記シート押圧部の底面の、前記押付け部材に対応する位置に設けられ、前記シート押圧部が閉じられた際、前記載置台ガラスに当接し、前記シート搬送部により搬送されるシートと前記載置台ガラスとの間に位置する透明なフィルム部材と、前記押付け部材よりもシート搬送方向下流側に設けられ、前記画像読取手段により画像が読み取られた後、前記フィルム部材に沿って搬送されるシートを案内するガイド部材と、前記シート押圧部の底面に設けられ、前記載置台ガラスに載置されたシートの動きを前記フィルム部材と共に規制するシート押え部材と、を備え、前記フィルム部材の、搬送されるシートの画像を読み取る位置にある前記画像読取手段と対向する部分以外の部分と、前記押付け部材のシートを押し付ける部分とを白色とし、かつ前記フィルム部材は、一端が前記シート押圧部の前記突き当て部の近傍に対応する位置に、他端が前記ガイド部材のガイド面に設けられ、前記シート押え部材の一端は前記ガイド部材の底面を通って前記フィルム部材の他端部に接することを特徴とするものである。
【発明の効果】
【００１４】
本発明のように、フィルム部材の搬送される原稿の画像を読み取る位置にある画像読取手段と対向する部分以外の部分と、押付け部材のシートを押し付ける部分とを白色にすることにより、小型化ができると共に固定読みの際の読取画像の汚れを防ぐことができる。
【発明を実施するための最良の形態】
【００１５】
以下、本発明を実施するための最良の形態について図面を用いて詳細に説明する。
【００１６】
図１は、本発明の実施の形態に係る画像読取装置の斜視図、図２はその断面図である。
【００１７】
図１及び図２において、５０は画像読取装置であり、この画像読取装置５０は、読取ユニット５１、シート搬送部である原稿読取搬送部５を備えたシート押圧部である圧板ユニット１及び操作部１２を備えている。
【００１８】
読取ユニット５１は、原稿を読み取るためのプラテンガラス（載置台ガラス）６と、プラテンガラス６の下方に配された画像読取手段である密着型イメージセンサ１６を備えている。
【００１９】
圧板ユニット１は、固定読みの際、原稿をプラテンガラス６に押し付けるためのものであり、図３に示すように読取ユニット５１のユニット本体５２に、ヒンジ３を介して開閉自在に保持されている。また、この圧板ユニット１の底面１Ａには固定読みの際、プラテンガラス上に載置された原稿の動きを、後述するフィルム部材１８と共に規制するよう原稿をプラテンガラス６に密着させるシート押え部材である白地板２が取り付けられている。
【００２０】
また、圧板ユニット１の上部には複数枚の原稿Ｄ１が載置可能な原稿載置台４が設けられており、この原稿載置台４には原稿Ｄ１の搬送方向と直交する幅方向にスライド可能なスライダ４ａが設けられている。そして、このスライダ４ａにより原稿載置台４上に載置された原稿Ｄ１の両端を揃えることができる。
【００２１】
密着型イメージセンサ１６は、図４に示すように光源としてのＬＥＤアレイ１６ａから原稿Ｄ１の画像情報面に光を照射し、画像情報面で反射した反射光をセルフォックレンズ（商標）１６ｂでセンサ素子１６ｃに結像して画像情報を読取るものである。
【００２２】
なお、この密着型イメージセンサ１６は、図２の矢印で示す左右方向に移動可能となっており、静止した原稿の画像を読み取る固定読みの際は、図中の右側を走査することで原稿画像を読み取るようになっている。
【００２３】
また、この密着型イメージセンサ１６は、原稿読取搬送部５により搬送された原稿Ｄ１を流し読みにて読み取る場合は、図２に示す位置で固定され、搬送されてくる原稿Ｄ１を読み取る構成となっている。そして、このように図２に示す位置で固定された密着型イメージセンサ１６と、後述するフィルム部材１８及び押付け部材２０とにより流し読みにより原稿画像を読み取る搬送原稿読取部４０が構成される。
【００２４】
原稿読取搬送部５は、原稿載置台４に載置された原稿Ｄ１を送り出すピックアップローラ８、ピックアップローラ８により送り出された原稿Ｄ１を分離する分離パット９を備えている。また、分離パット９により１枚ずつ分離された原稿Ｄ１を搬送し、固定された密着型イメージセンサ１６の上方を通過させる搬送ローラ１３を備えている。
【００２５】
なお、図２において、７は搬送ローラ１３の円弧と同一形状の略Ｕ字状の原稿搬送路（以下、Ｕターンパスという）である。このＵターンパス７には、ピックアップローラ８に当接している予備搬送部材１０、原稿Ｄ１の有無を検出する原稿有無センサ１１、排紙ローラ１４及び原稿Ｄ１の先端部及び後端部を検出する原稿エッジセンサ１５等が配置されている。
【００２６】
このような原稿読取搬送部５を備えた圧板ユニット１において、原稿画像を流し読みにて読み取る場合、操作者により原稿Ｄ１が原稿載置台４に読取画像面を上側にしてセットされると、原稿有無センサ１１が原稿有りを検知する。
【００２７】
次に、操作者が操作部１２から読取開始を指示すると、ピックアップローラ８が回転し、これに伴い予備搬送部材１０によりピックアップローラ８に当接している原稿Ｄ１がピックアップローラ８と分離パット９により１枚ずつに分離されて搬送される。この後、分離された原稿Ｄ１は搬送ローラ１３によって、Ｕターンパス７に沿って搬送され、さらに停止している密着型イメージセンサ１６により画像を読み取る搬送原稿読取部４０の搬送画像読取位置へと搬送される。
【００２８】
この後、原稿エッジセンサ１５により原稿Ｄ１の先端部が検知されると、その位置から所定量搬送されたところで、搬送される原稿の画像を読み取る位置にある密着型イメージセンサ１６による画像情報の読み取りが開始される。
【００２９】
ここで、圧板ユニット１の密着型イメージセンサ１６に対応する位置には、図４に示すように原稿を密着型イメージセンサ側へ押圧する押付け部材２０が設けられている。この押付け部材２０により、画像を読み取る際、原稿Ｄ１はプラテンガラス６から離れる方向への動きを規制されながら、搬送ローラ１３により、密着型イメージセンサ１６が下方で固定されているプラテンガラス６上の搬送画像読取位置を通過する。この際、画像が読み取られる。
【００３０】
そして、このように画像が読み取られた原稿は、先端が下流側ガイド部材１９によりすくい上げられ、排紙ローラ対１４（図２参照）に向かう。この後、原稿エッジセンサ１５により原稿Ｄ１の後端部が検知されると、その位置から所定量搬送されたところで、密着型イメージセンサ１６による画像情報の読み取り（流し読み）を終了する。
【００３１】
次に、画像が読み取られた原稿Ｄ１は、排紙ローラ対１４により圧板ユニット１の上面へと排出される。なお、圧板ユニット１では、原稿有無センサ１１が原稿無しを検知するまで、上述した読取動作を繰り返す。
【００３２】
ところで、押付け部材２０とプラテンガラス６との間には、図４に示すように、画像が読み取られた後、シート搬送方向下流側に搬送される原稿を案内する無色透明なフィルム部材１８が設けられている。そして、この無色透明なフィルム部材１８を設けることにより、画像が読み取られた原稿を、シート搬送方向下流側に配された下流側ガイド部材１９へ、ひっかかることなく搬送することができる。なお、このように無色透明なフィルム部材１８を設けた場合、原稿画像は、プラテンガラス６と無色透明なフィルム部材１８を介して読み取られる。
【００３３】
ここで、図４において、１７はフィルム部材１８の一端部を保持する保持部材であり、この保持部材１７と、フィルム部材１８と、上面にフィルム部材１８の他端部が載置されている下流側ガイド部材１９は、図３に示すように圧板ユニット１に設けられている。そして、このように構成することにより、圧板ユニット１内に、流し読みの際の原稿搬送パスを形成することができので、プラテンガラス上に原稿搬送パスを形成する必要がなくなる。
【００３４】
これにより、静止原稿の読み取りを行う際、図３に示すように、静止原稿Ｄ２を、プラテンガラス６が取り付けられているスキャナカバー２２の搬送画像読取位置側の一端側に位置する突き当て部２２ａに突き当てて読み取りを行うことができる。つまり、本実施の形態のように、圧板ユニット１内に搬送原稿パスを形成することにより、静止原稿Ｄ２の読取範囲内に、搬送原稿Ｄ１の読取位置を設けることができ、画像読取装置５０（読取ユニット５１）の幅を大幅に縮小することができる。
【００３５】
なお、フィルム部材１８は、図３に示すように、プラテンガラス６の一端部に対応する位置に設けられている。具体的には、図４に示すように、プラテンガラス６の表面に沿って配設されると共に、一端はプラテンガラス６の一側側に設けられ、プラテンガラス６に原稿を載置する際の基準となる突き当て部２２ａの近傍に位置している。
【００３６】
また、フィルム部材１８の他端は、搬送原稿を押付け部材２０よりもシート搬送方向下流側に設けられたガイド部材である下流側ガイド部材１９に案内するため、下流側ガイド部材１９の上面（ガイド面）に位置している。
【００３７】
ここで、図４において、Ｂはフィルム部材１８が、プラテンガラス６の表面から離れ、下流側ガイド部材１９の上面に移っていく境界部であり、この境界部Ｂの下方には下流側ガイド部材１９の下側を通って白地板２の端部が達している。つまり、本実施の形態において、白地板２の一端は下流側ガイド部材１９の底面を通ってフィルム部材１８の他端部に接している。
【００３８】
また、フィルム部材１８は、フィルム部材１８を介して原稿の画像を読取るために無色で透明なフィルム状の部材で形成されているが、密着型イメージセンサ１６に面する図４に示す読取領域Ａの部分を除いて表面に白印刷もしくは白塗装が施されている。つまり、フィルム部材１８の密着型イメージセンサ１６と対向する部分である読取領域Ａの部分以外の部分の表面には白印刷もしくは白塗装が施されている。
【００３９】
このため、保持部材１７と押付け部材２０との隙間Ｃや、押付け部材２０と下流側ガイド部材１９との隙間Ｅがフィルム部材１８の表面の白い部分で隠される。なお、フィルム部材１８の白い印刷もしくは塗装を流し読みの際、原稿が通過するフィルム部材１８の摺擦面側に施した場合には、原稿により擦られて剥がれてしまう場合がある。このため、白い印刷もしくは塗装は、プラテンガラス６に対向する面側に施すのが好ましい。
【００４０】
また、押付け部材２０は、白色のモールド材で成型されており、これにより密着型イメージセンサ側から押付け部材２０を見ると、押付け部材２０の密着型イメージセンサ１６に対向する部分は、フィルム部材１８の透明な読取領域Ａの部分を介して白く見える。
【００４１】
このため、図３に示すようにプラテンガラス６にセットされた静止原稿Ｄ２を読み取る際、静止原稿Ｄ２が光を透過しやすい原稿であった場合でも、図４に示す突き当て部２２ａから白地板２に至るまで白い部分が読取られることになる。この結果、読み取った画像に隙間Ｃ、Ｅの陰が映ることがないので、読み取った画像が汚くなるのを防ぐことができる。
【００４２】
一方、静止原稿Ｄ２が読取領域Ａのシート搬送方向と直交する幅方向の長さよりも短い原稿の場合は、静止原稿Ｄ２が光を透過しない原稿であっても、原稿の外側が読み取られてしまう。しかし、本実施の形態において、押付け部材２０の幅方向の長さは、搬送されるシートの幅方向の長さよりも長くなっている。
【００４３】
したがって、この場合においても、図４に示す突き当て部２２ａから白地板２に至るまで隙間Ｃ、Ｅの陰がフィルム部材１８の白い部分で隠されると共に、透明な読取領域Ａにおいても押付け部材２０の白い部分が読み取られる。このため、読み取った画像に隙間Ｃ、Ｅの陰が映って汚くなるのを防ぐことができる。
【００４４】
なお、このように構成することにより、静止原稿Ｄ２が突き当て部２２ａから離れた位置に載置された場合でも、突き当て部２２ａから白地板２に至るまではフィルム部材１８の白い部分と、読取領域Ａを通して押付け部材２０の白が読取られるようになる。このため、読取った画像も白となる。
【００４５】
以上説明したように、本実施の形態においては、フィルム部材１８の読取領域Ａ以外の部分と、押付け部材２０のフィルム部材１８を押し付ける部分である、フィルム部材１８の読取領域Ａに対向する部分とを白色にしている。これにより、図４に示すように一端部を搬送原稿読取部４０としたプラテンガラス６に載置された原稿が薄い場合や、原稿の幅よりも広い範囲を読み取った場合でも、読み取った画像に押付け部材２０等が陰となって読み込まれることはなくなる。この結果、画像読取装置５０（読取ユニット５１）の小型化ができると共に固定読みの際の読取画像の汚れを防ぐことができる。
【００４６】
特に、一対一で結像する等倍光学系の密着型イメージセンサの場合は、焦点深度が浅く、光源の光量が少ないことから、縮小光学系のセンサに比べて陰が出やすいため、等倍光学系の密着型イメージセンサを用いた場合、本発明の構成は有効である。
【００４７】
なお、これまでの説明では、押付け部材２０は白色のモールド材で成型するものとしたが、本発明はこれに限らない。即ち、フィルム部材１８の読取領域Ａに面する、フィルム部材１８を押し付ける部分が白ければ良いことから、読取領域Ａに面する表面を白く塗装したり、白いシートを貼り付けたりしても良く、さらに押付け部材２０を白いゴムローラ等で構成しても良い。
【００４８】
また、これまでは画像読取装置単体の構成について述べてきたが、本発明はこれに限らない。例えば、画像読取装置５０により読み取った画像情報に基づいて電子写真記録方式やインクジェット記録方式で画像を形成する画像形成部を備えた画像形成装置に設けられる画像読取装置についても適用できることは言うまでもない。そして、例えば本実施の形態に係る画像読取装置５０を用いた複写装置の場合、複写を行う際、記録画像に隙間Ｃ、Ｅの陰が形成されることがないのでトナーやインクを無駄に消費しないようにすることができる。
【図面の簡単な説明】
【００４９】
【図１】本発明の実施の形態に係る画像読取装置の斜視図。
【図２】上記画像読取装置の断面図。
【図３】上記画像読取装置の圧板ユニット開いた状態を示す斜視図。
【図４】上記画像読取装置の要部拡大図。
【図５】従来の画像読取装置を示す斜視図。
【図６】従来の他の画像読取装置を示す斜視図。
【符号の説明】
【００５０】
１      圧板ユニット
１Ａ    底面
２      白地板
５      原稿読取搬送部
６      プラテンガラス
１６    密着型イメージセンサ
１８    フィルム部材
２０    押付け部材
４０    搬送原稿読取部
５０    画像読取装置
５１    読取ユニット
Ａ      読取領域
【図１】
0004995058.tif 000002
【図２】
0004995058.tif 000003
【図３】
0004995058.tif 000004
【図４】
0004995058.tif 000005
【図５】
0004995058.tif 000006
【図６】
0004995058.tif 000007